(57)【要約】【課題】本発明は、被写体を撮影レンズで撮像素子上に結像させて画像信号を得るカメラに関し、撮像素子前面にレンズ等の光学部材を配置し撮像素子と光学部材との間に密封空間を形成したまま、その光学部材を光軸方向に容易に移動させる。【解決手段】撮像素子２１の前面に撮影レンズ１１を配置するとともに、その撮影レンズ１１を光軸方向に移動自在に保持し、それら撮像素子２１と撮影レンズ１１との間に第１の空間２２２を形成する保持部材２２を備え、その第１の空間２２２と容積可変の第２の空間４０１とを含む密封空間を形成し、さらに、容積可変の第２の空間４０１に溜った空気を第１の空間２２２に注入しあるいはその第１の空間２２２から空気を吸引して第２の空間４０１に溜める駆動部４０を備えた。【選択図】        図３
2004153555.tif 000002
【特許請求の範囲】
【請求項１】
被写体を撮影レンズで撮像素子上に結像させて画像信号を得る電子カメラにおいて、
前記撮像素子の前面に配置された光学部材と、
前記光学部材を、前記撮像素子に接離する光軸方向に移動自在に保持し、該光学部材と該撮像素子との間に第１の空間を形成する保持部と、
前記第１の空間につながる、容積可変の第２の空間を有し、これら第１の空間および第２の空間を含む密封空間を形成し、該第２の空間の容積を変化させて、該第２の空間に溜った気体を前記第１の空間に注入しあるいは該第１の空間から気体を吸引して該第２の空間に溜めることにより前記光学部材を前記光軸方向に移動させる駆動部とを備えたことを特徴とする電子カメラ。
【請求項２】
前記光学部材は、前記撮影レンズを構成する少なくとも１つのレンズであることを特徴とする請求項１記載の電子カメラ。
【請求項３】
前記保持部は、蛇腹を介して前記光学部材を保持し、該蛇腹の伸縮により該光学部材を移動させるものであることを特徴とする請求項１記載の電子カメラ。
【請求項４】
前記保持部は、前記撮像素子を保持する第１の保持部材と、前記光学部材を保持するとともに前記第１の保持部材に光軸方向に摺動自在に支持された第２の保持部材とを有するものであることを特徴とする請求項１記載の電子カメラ。
【発明の詳細な説明】
【０００１】
【発明の属する技術分野】
本発明は、被写体を撮影レンズで撮像素子に結像させて画像信号を得る電子カメラに関する。
【０００２】
【従来の技術】
近年、これまでの銀塩写真フィルム上に写真撮影を行なう従来タイプのカメラに代わり、例えばＣＣＤ撮像素子上に結像させて画像信号を得るタイプの電子カメラが急速に普及しつつある。この電子カメラの場合も撮像素子自体は従来タイプのカメラと同様であり、ピント調整のために撮影レンズ（あるいは撮影レンズを構成するピント調整用のレンズ）を光軸方向に移動させ、あるいはズーム撮影レンズを搭載しズーミングのために撮影レンズを光軸方向に移動させる電子カメラが知られている（例えば、特許文献１、特許文献２参照）。
【０００３】
また、非撮影時には携帯性を考慮して撮影レンズを沈胴させ撮影時には所定の撮影に適した位置まで撮影レンズを繰り出す沈胴タイプの撮影レンズを備えた電子カメラも知られており、この沈胴タイプの撮影レンズを備えた電子カメラの場合、沈胴時には撮影レンズを大きく沈胴させることが、その電子カメラの一層の薄型化につながるため、如何にして大きく沈胴させることが問題となる。
【０００４】
【特許文献１】
特開平８−１０１３３３号公報
【特許文献２】
特開平１０−１６１００１号公報
【特許文献３】
特開平１１−２４３１８７号公報
【０００５】
【発明が解決しようとする課題】
ところで、従来、ＣＣＤ撮像素子には、その撮像面への塵埃の付着を避けるために、その前面をガラス板等で封止することによる完全な密閉構造が採用されている（特許文献３参照）。この場合、そのＣＣＤ撮像素子への塵埃の付着防止には効果があるが、そのＣＣＤ撮像素子の前に沈胴式の撮影レンズを配置して撮影時に沈胴させることにより薄型の電子カメラを設計しようとした場合、ＣＣＤ撮像素子前面に配置されたガラス板等のために大きくは沈胴することができず更なる薄型化が困難である。
【０００６】
ＣＣＤ撮像素子前面にカバーガラスを持たずにレンズを直接取り付けることも考えられているが、撮像面上に結像させるためには撮像面からそのレンズの焦点距離程度離した位置にレンズを配置する必要があり、光軸方向に大型化するともに、ＣＣＤ撮像素子を密封した状態では、そのレンズを光軸方向に動かそうとすると密封空間の空気圧に逆って動かすこととなり、大きな駆動が必要となる。一方、これを避けるために空気孔を形成すると、その空気孔から空気と一緒に塵埃が入り込んで撮像面に付着するおそれがある。
【０００７】
本発明は、上記事情に鑑み、撮像素子前面にレンズ等の光学部材を配置し撮像素子と光学部材との間に密封空間を形成したまま、その光学部材を光軸方向に容易に移動することのできる機構を備えた電子カメラを提供することを目的とする。
【０００８】
【課題を解決するための手段】
上記目的を達成する本発明の電子カメラは、被写体を撮影レンズで撮像素子上に結像させて画像信号を得る電子カメラにおいて、
撮像素子の前面に配置された光学部材と、
その光学部材を、撮像素子に接離する光軸方向に移動自在に保持し、光学部材と撮像素子との間に第１の空間を形成する保持部と、
上記第１の空間につながる、容積可変の第２の空間を有し、これら第１の空間および第２の空間を含む密封空間を形成し、その第２の空間の容積を変化させて、その第２の空間に溜った気体を上記第１の空間に注入しあるいはその第１の空間から気体を吸引して第２の空間に溜めることにより上記光学部材を光軸方向に移動させる駆動部とを備えたことを特徴とする。
【０００９】
本発明の電子カメラは、撮像素子前面の第１の空間とつながる容積可変の第２の空間が形成されるとともにそれら第１の空間と第２の空間とを含む密封空間が形成され、第１の空間と第２の空間との間での気体の移動により光学部材を動かすものであり、外部からの空気の進入は防止されるため塵埃の進入が防止され、かつ小さい駆動力で光学部材を容易に移動させることができる。
【００１０】
ここで、上記本発明の電子カメラにおいて、上記光学部材は、撮影レンズを構成する少なくとも１つのレンズであってもよい。
【００１１】
撮影レンズを構成するレンズで密封空間を形成することにより、最大限まで沈胴させることができ、また、そのレンズの移動によりピント調整も可能となる。
【００１２】
ただし、上記光学部材は撮影レンズを構成するレンズに限られるものではなく、例えば塵埃が表面に付着する可能性があることを考慮して撮影面との間に所定の距離を置く必要のあるローパスフィルタ、平板ガラス、くさび形状の光学部材、パワーの弱いレンズ、あるいはそれらの組合せ等であってもよい。その場合、沈胴時にはそのローパスフィルタ等の光学部材を撮像面に近づけることにより、そのようなローパスフィルタ等の光学部材を配置した仕様の電子カメラに関し、最大限沈胴させることが可能となる。
【００１３】
また、本発明の電子カメラにおいて、上記保持部は、蛇腹を介して光学部材を保持し、蛇腹の伸縮によりその光学部材を移動させるものであってもよく、あるいは上記保持部は、撮像素子を保持する第１の保持部材と、光学部材を保持するとともに第１の保持部材に光軸方向に摺動自在に支持された第２の保持部材とを有するものであってもよい。
【００１４】
【発明の実施の形態】
以下、本発明の実施形態について説明する。
【００１５】
図１は、本発明の第１の実施形態の電子カメラを前面斜め上から見た外観斜視図、図２は、図１の電子カメラを背面斜め上から見た外観斜視図である。
【００１６】
図１に示すように、この電子カメラ１０の前面中央部には、撮影レンズ１１が備えられている。この撮影レンズ１１は、入射した被写体光を、内部に配置されたＣＣＤ撮像素子（ここでは図示せず）の撮影面上に結像させ、そのＣＣＤ撮像素子でその被写体像を表わす画像信号が生成される。
【００１７】
また、この電子カメラ１００には、図１に示すように、その前面上部に、光学ファインダの対物窓１１および補助光発光部１３が備えられている。さらに、その電子カメラ１００の上面には、シャッタボタン１４およびスライド式の電源スイッチ１５が備えられている。
【００１８】
さらに、図２に示すように、この電子カメラ１００の背面には、光学ファインダ接眼窓１６と、メニュースイッチ１７と、実行／画面切換スイッチ１８と、画像モニタ１９が備えられている。
【００１９】
図３は、図１，図２に外観を示す電子カメラのレンズ駆動機構を示す図である。
【００２０】
図３には、ＣＣＤ撮像素子２１を保持するとともに、そのＣＣＤ撮像素子２１の前面に、図１にも示す撮影レンズ１１を保持する保持部材２２が示されている。
【００２１】
この保持部材２２は、ＣＣＤ撮像素子２１を直接に固定的に保持しており、一方、撮影レンズ１１については、蛇腹２２１を介して保持している。
【００２２】
この蛇腹２２１は、後述するようにして伸縮し、撮影レンズ１１をＣＣＤ撮像素子２１に接離する方向（光軸方向）に移動させる。
【００２３】
また、この保持部材２２は、ＣＣＤ撮像素子２１と撮影レンズ１１との間に第１の空間２２２を形成しており、この第１の空間２２２は、唯一、空気通路２２２１を介し、かつ、チューブ３１の内部空間３１１を介して、駆動部４０を構成するシリンダ４１とピストン４２とで区画される、容積可変の第２の空間４０１につながっている。この第２の空間４０１は、第１の空間２２２とはつながっているものの、外部とは離絶されている。すなわち、ここには第１の空間２２２と第２の空間４０１とを含む密封空間が形成されている。
【００２４】
また、この駆動部４０には、正転逆転自在なモータ４３が備えられており、そのモータ４３の回転軸４３１には、アーム４４の一端が固定されている。このモータ４３が正転方向、逆転方向に回転すると、アーム４４が、それぞれ、図示の矢印Ａ方向、Ｂ方向に回転し、ピストン４２を、それぞれシリンダ４１内に押し込む方向、シリンダ４１から引き出す方向に移動させる。
【００２５】
図３は、アーム４４が矢印Ａ方向に移動した状態を示しており、矢印Ａ方向への移動量に応した量だけ、第２の空間４０１の空気が第１の空間２２２に注入され、撮影レンズ１１がＣＣＤ撮像素子２１から離れる方向に移動する。
【００２６】
モータ４３が逆転方向に回転しアーム４４が矢印Ｂ方向に移動したとき、ピストン４２に固定された検知部４２１が光電センサ４５によって検出され、ピストン４２がシリンダ４１から抜けてしまわないよう、その検出によりモータ４３の回転が停止する。
【００２７】
図４は、図３に示すレンズ駆動機構において、検出部４２１が光学センサ４５で検出された初期位置にあるときの、保持部材２２の状態を示す図である。
【００２８】
図３のアーム４４が矢印Ｂ方向に回転しピストン４２がシリンダ４１から抜かれる方向に移動すると、第２の空間４０１が膨らみ第１の空間２２２の空気が第２の空間４０１に移動し、図４に示すように第１の空間２２２が縮み、撮影レンズ１１がＣＣＤ撮像素子に近づいた状態となる。
【００２９】
このようにして、図３に示すモータ４３を正転方向に回転させることにより撮影レンズ１１を前方に繰り出し、モータ４３を逆転方向に回転させることにより撮影レンズを沈胴させることができる。また、撮影レンズ１１を前方に繰り出した状態においてモータ４３の回転量を調整することにより撮影レンズをピント調整のために移動させ合焦位置に配置することができる。
【００３０】
図５は、図１に示すカメラの回路構成を示すブロック図である。
【００３１】
このカメラ１００には、前述した撮影レンズ１１および補助光発光部１３と、シャッタ・絞り部７１と、ＣＣＤ撮像素子２１とが備えられている。撮影レンズ１１およびシャッタ・絞り部７１を経由してＣＣＤ撮像素子２１の撮像面上に結像された被写体は、ＣＣＤ撮像素子２１よりアナログの画像信号に変換される。ここで、シャッタ・絞り部７１を構成するシャッタ部は、ＣＣＤ撮像素子２１からアナログ信号が読み出すにあたり、光によるスミアの発生を抑えるものであるが、ＣＣＤ撮像素子２１の構成等によっては必ずしも必要なものではない。また、絞り部は、単一の絞りであってもよく切換自在な複数の絞りからなるものであってもよい。補助光発光部１３は、低照度時に補助光として用いられるものであるが、低照度時以外の必要時にあるいは強制的に発光させることもできる。
【００３２】
また、このカメラ１００には、アナログ信号処理部７２と、Ａ／Ｄ部７３と、デジタル信号処理部７４と、テンポラリメモリ７５と、圧縮伸長部７６と、内蔵メモリ（またはメモリカード）７７と、画像モニタ１９と、駆動回路７８とが備えられている。ＣＣＤ撮像素子２１は、駆動回路７８内のタイミング発生回路（図示せず）によって発生したタイミングで駆動され、アナログの画像信号を出力する。また、駆動回路７８には、撮影レンズ１１，シャッタ・絞り部７１，補助光発光部１３等を駆動する駆動回路も含まれている。ＣＣＤ撮像素子２１から出力されたアナログの画像信号は、アナログ信号処理部７２でアナログ信号処理され、Ａ／Ｄ部７３でＡ／Ｄ変換されてデジタル信号処理部７４でデジタル信号処理される。デジタル信号処理された信号を表わすデータはテンポラリメモリ７５に一時的に格納される。テンポラリメモリ７５に格納されたデータは、圧縮伸長部７６で圧縮されて内蔵メモリ（またはメモリカード）７７に記録される。尚、撮影モードによっては、圧縮の過程を省いて内蔵メモリ７７に直接記録してもよい。テンポラリメモリ７５に格納されたデータは画像モニタ１９に読み出され、これにより画像モニタ１９に被写体の画像が表示される。
【００３３】
また、カメラ１００には、このカメラ１００全体の制御を行なうＣＰＵ７９と、前述したメニュースイッチ１７および実行／画面切換スイッチ１８からなる操作スイッチ群８０と、シャッタボタン１４とが備えられており、操作スイッチ群８０を操作し所望の撮影状態に設定してシャッタボタン１４を押下することにより写真撮影が行なわれる。
【００３４】
以上の第１実施形態によれば、図３，図４を参照して説明したように、第２の空間４０１の空気を第１の空間２２１に注入しあるいはその第１の空間２２１から空気を吸引して第２の空間４０１に溜めることにより、撮影レンズ１１を光軸方向に移動させ、沈胴時にはＣＣＤ撮像素子２１前面のぎりぎりの位置まで沈胴させることができる。したがって沈胴時の薄型化に寄与し携帯性にすぐれた電子カメラを構成することができる。
【００３５】
次に、他の実施形態について説明する。ただし、以下では、これまで説明してきた第１実施形態との相違点のみについて説明する。
【００３６】
図６は、本発明の第２実施形態の電子カメラにおけるレンズ駆動機構を示す図である。
【００３７】
この図６に示すレンズ駆動機構には、ＣＣＤ撮像素子２１を保持する第１の保持部材２２＿１と撮影レンズ１１を保持する第２の保持部材２２＿２が備えられている。ここで第２の保持部材２２＿２は、撮影レンズ１１を保持するとともに、第１の保持部材２２＿１との間にＯリング２３を介在させ、その第１の保持部材２２＿１に対し光軸方向に摺動自在にその第１の保持部材２２＿１に支持されている。
【００３８】
第１の保持部材２２＿１と第２の保持部材２２＿２との間には第１の空間２２２が形成されており、その第１の空間２２２は、唯一、空気通路２２２１およびチューブ３１の内部空間３１１を介して、シリンダ４１とピストン４２とにより形成された容積可変の第２の空間４０１につながっている。すなわち、この実施形態においても、第１の空間２２２と第２の空間４０１とを含む密封空間が形成されている。
【００３９】
この図６に示すピストン４２は、シリンダ４１の内面と接触する部分にはＯリング４６が使用されており、第２の空間４０１を外部から一層確実に隔離している。また、このピストン４２の後端部には、ラック４２２が形成され、さらに引張りバネ４７により矢印Ｂ方向に付勢されている。また、ここにはポテンションメータ４８が備えられており、そのポテンションメータ４８の回転軸４８１には、ピストン４２のラック４２２と噛合するピニオン４９が固定されている。
【００４０】
ポテンションメータ４８が動作するとラック−ピニオン機構を介してピストン４２が矢印Ａ方向に移動して第２の空間４０１を縮め、その第２の空間４０１の空気が第１の空間２２２に移動して第２の保持部材２２＿２が前方に移動し、それに伴って撮影レンズ１１が前方（光軸方向）に移動する。ポテンションメータ４８の回転量を調整すると、それに応じて撮影レンズ１１の光軸方向の位置を調整することができる。ポテンションメータ４８への制御信号が遮断されると、ピストン４２は、引張りばね４７の引張り力により矢印Ｂ方向に移動して初期位置に戻り、第１の空間２２２の空気が第２の空間４０１に移動し、それに伴って第１の空間２２２が縮み、撮影レンズがＣＣＤ撮像素子２１に近づく方向に沈胴する。
【００４１】
この図６に示すレンズ駆動機構によっても、撮影レンズ１１を大きく沈胴させることができる。
【００４２】
図７は、本発明の第３の実施形態の電子カメラにおけるレンズ駆動機構を示す図である。
【００４３】
この図７に示すレンズ駆動機構は、図３に示すレンズ駆動機構と対比すると以下の相違点がある。すなわち、図３に示すレンズ駆動機構の場合、第１の空間２２２と第２の空間４０１は、空気通路２２２１およびチューブ３１の内部空間を介してつながっており、全体として密封空間を形成しているのに対し、図７に示すレンズ駆動機構の場合、第１の空間２２２および第２の空間４０１のみで密封空間が形成されている。
【００４４】
このように、本発明においては、密封空間は第１の空間と第２の空間のみで形成されていてもよく、あるいは第１の空間と第２の空間以外の空間を含んで密封空間が形成されていてもよい。すなわち、本発明においては、第１の空間と第２の空間を含む密封空間が形成されていればよい。
【００４５】
図７に示すレンズ駆動機構の他の要素は、図３に示すレンズ駆動機構と同一であり、図７に示すレンズ駆動機構についてはこれ以上の説明は省略する。
【００４６】
尚、図７に示すレンズ駆動機構は、第１の空間２２２と第２の空間４０１との間に段差４４１が形成されており、第１の空間２２２と第２の空間４０１との境界が明確になっているが、第１の空間と第２の空間は境界がはっきりしている必要はなく、一体的に形成された空間であってもよい。その場合であっても、ＣＣＤ撮像素子２１と撮影レンズ１１との間が第１の空間と称され、容積可変の部分が第２の空間と称される。
【００４７】
図８は、本発明の第４の実施形態の電子カメラの撮影レンズを示す図である。
【００４８】
この撮影レンズ１１は、前掲の特開平１０−１６１００１号公報に示されたズームレンズと同様の構成のズームレンズである。ここでは、このズームレンズ構成の撮影レンズ１１は、第１群１１＿１、第２群１１＿２、および第３群１１＿３の３群構成のものであり、第３群１１＿３に関し、図６に示す構造のレンズ駆動機構が採用されている。第１群１１＿１および第２群１１＿２については、カム機構等を用いた従来のレンズ駆動機構が採用されており、ここでは第１群１１＿１および第２群１１＿２の駆動機構に関する図示および説明は省略する。
【００４９】
図９は、図８に示すズームレンズ構成の撮影レンズの沈胴時の状態を示す図である。
【００５０】
第３群１１＿３をＣＣＤ撮像素子２１の直前にまで近づけることができ、したがって従来よりも大きく沈胴させることができる。
【００５１】
図１０は、本発明の第５の実施形態の電子カメラの撮影光学系を示す図である。
【００５２】
ここには、ＣＣＤ撮像素子２１を保持する第１の保持部材２２＿１と、カバーガラス８１を保持する第２の保持部材２２＿２が示されている。この第２の保持部材２２＿２は、第１の保持部材２２＿１に対し図１０の上下方向にスライド自在に構成されており、第１の保持部材２２＿１と第２の保持部材２２＿２との間には第１の空間２２２が形成されている。この第１の空間２２２では、この図１０では図示省略したが、図３、図６、あるいは図７と同様にしてシリンダ４１内の第２の空間４０１につながるとともに、外部からは遮断されている。
【００５３】
図１０に示す例では、撮影レンズ１１は、本発明に特徴的な駆動機構によっては駆動されず、従来の一般的な駆動機構（図示せず）により駆動される。
【００５４】
図１１は、図１０に示す撮影光学系の沈胴状態を示す図である。
【００５５】
第１の保持部材２２＿１と第２の保持部材２２＿２とに挟まれた第１の空間２２２の空気が図３、図６、あるいは図７に示す第２の空間４０１に移動し、このためカバーガラス８１がＣＣＤ撮像素子２１に近づき、撮影レンズ１１は、その沈胴したカバーガラス８１の直前の位置まで沈胴している。
【００５６】
ここで、カバーガラス８１を図１０、図１１に示すように繰出し、沈胴を行なわせる理由として、そのカバーガラス８１の表面に塵埃が付着する可能性があることが挙げられる。すなわち、図１０、図１１に示す構造の場合、カバーガラス８１の、ＣＣＤ撮像素子２１を向いた側の面には塵埃の付着は防止されるものの、カバーガラス８１の、撮影レンズ１１を向いた側の面には塵埃が付着する可能性がある。この面に万一塵埃が付着した場合であっても図１０に示すようにＣＣＤ撮像素子２１からある程度離れた位置に配置されているとその付着した塵埃は撮影画面上では目立たず、仮にカバーガラス８１がＣＣＤ撮像素子２１に極めて近づいた状態で撮影を行なうことが可能な場合、その付着した塵埃が撮影画面上にあらわれ画質を著しく劣化される結果となる。そこで、図１０、図１１に示す例では、撮影時には図１０に示すようにカバーガラス８１をＣＣＤ撮像素子２１から離れた位置に配置し、沈胴時には沈胴の妨げとならないよう図１１に示すようにカバーガラス８１も沈胴させているのである。
【００５７】
これら図１０、図１１に示すように、本発明に特有の駆動機構による沈胴、繰出しの行なわれる光学部材は、レンズに限られるものではなく、カバーガラスあるいはローパスフィルタ等所期の繰出し位置まで繰り出す必要のある光学部材一般に適用することができる。
【００５８】
尚、これまで説明してきた実施形態は、いずれも、密封空間に空気を封入する例であるが、本発明にいう密封空間には空気以外の他の気体、例えば窒素等が封入されていてもよい。
【００５９】
【発明の効果】
以上説明したように、本発明の電子カメラによれば、撮像素子前面にレンズ等の光学部材を配置し撮像素子と光学部材との間に密封空間を形成したまま、その光学部材を光軸方向に容易に移動することができる。
【図面の簡単な説明】
【図１】本発明の第１の実施形態の電子カメラを前面斜め上から見た外観斜視図である。
【図２】図１の電子カメラを背面斜め上から見た外観斜視図である。
【図３】図１，図２に外観を示す電子カメラのレンズ駆動機構を示す図である。
【図４】図３に示すレンズ駆動機構において、検出部が光電センサで検出された初期位置にあるときの、保持部材の状態を示す図である。
【図５】図１に示すカメラの回路構成を示すブロック図である。
【図６】本発明の第２実施形態の電子カメラにおけるレンズ駆動機構を示す図である。
【図７】本発明の第３の実施形態の電子カメラにおけるレンズ駆動機構を示す図である。
【図８】本発明の第４の実施形態の電子カメラの撮影レンズを示す図である。
【図９】図８に示すズームレンズ構成の撮影レンズの沈胴時の状態を示す図である。
【図１０】本発明の第５の実施形態の電子カメラの撮影光学系を示す図である。
【図１１】図１０に示す撮影光学系の沈胴状態を示す図である。
【符号の説明】
１１    撮影レンズ
１２    対物窓
１３    補助光発光部
１４    シャッタボタン
１５    電源スイッチ
１６    光学ファインダ接眼窓
１７    メニュースイッチ
１８    実行／画面切換スイッチ
１９    画像モニタ
２１    ＣＣＤ撮像素子
２２    保持部材
２２＿１    第１の保持部材
２２＿２    第２の保持部材
２２１    蛇腹
２２２    密封空間
２２２１    空気通路
３１    チューブ
３１１    内部通路
４０    駆動部
４１    回転軸
４２    ピストン
４３    モータ
４４    アーム
４５    光電センサ
４６    Ｏリング
４７    引張りバネ
４８    ポテンションメータ
４９    ピニオン
８１    カバーガラス
１００    電子カメラ
【図１】
2004153555.tif 000003
【図２】
2004153555.tif 000004
【図３】
2004153555.tif 000005
【図４】
2004153555.tif 000006
【図５】
2004153555.tif 000007
【図６】
2004153555.tif 000008
【図７】
2004153555.tif 000009
【図８】
2004153555.tif 000010
【図９】
2004153555.tif 000011
【図１０】
2004153555.tif 000012
【図１１】
2004153555.tif 000013